(57)【要約】      （修正有）【課題】制御仕様の変更処理の信頼性を向上できる車両の制御仕様変更装置を提供する。【解決手段】制御仕様変更装置１は、制御情報を記憶するメモリ２と、メモリ２に記憶された制御情報を用いて車両Ｃを制御する車両制御装置ＥＣＵとを備える車両Ｃに備えられ、制御情報を有する情報サーバＳとの間で無線通信を行う無線通信機１１と、制御情報を、情報サーバＳから無線通信機１１により受信してメモリ２に記憶するよう制御情報取得部１２とを備え、無線通信機１１及び制御情報取得部１２は、車両Ｃ内の車室内を除く箇所に配置されている。【選択図】図１
2014051208.tif 000002
【特許請求の範囲】
【請求項１】
車両の制御仕様を規定する制御情報を記憶するように構成された記憶部と、該記憶部に記憶された前記制御情報を用いて車両を制御するように構成された制御部とを備える車両の制御仕様変更装置であって、
前記制御情報を有する情報サーバとの間で無線通信を行う無線通信機と、
前記制御情報を、前記情報サーバから前記無線通信機により受信して前記記憶部に記憶するように構成された制御情報取得部とを備え、
前記無線通信機及び前記制御情報取得部は、前記車両内の車室内を除く箇所に配置されていることを特徴とする車両の制御仕様変更装置。
【請求項２】
請求項１に記載の車両の制御仕様変更装置において、
前記制御情報取得部は、前記無線通信機が、前記制御情報を正常に受信したか否かを判定するように構成された受信判定部を備え、
前記受信判定部によって、前記制御情報を正常に受信していないと判定されたときに、前記制御情報を前記情報サーバから再度受信することを特徴とする車両の制御仕様変更装置。
【請求項３】
請求項１又は２に記載の車両の制御仕様変更装置において、
前記記憶部は、複数の前記制御情報を記憶可能に構成されて、
前記制御情報の１つとして所定の標準制御情報を記憶し、
前記制御部が、前記所定の標準制御情報以外の前記制御情報を用いて前記車両を制御しているときに、当該制御情報を用いた制御が適切か否かを判定するように構成された情報判定部を備え、
前記制御情報取得部は、前記情報判定部が適切でないと判定したとき、前記制御部が用いる前記制御情報を、前記標準制御情報に変更することを特徴とする車両の制御仕様変更装置。
【請求項４】
請求項１〜３のいずれか１項に記載の車両の制御仕様変更装置において、前記車両内の車室内を除く箇所とは、インストルメントパネルの裏側の箇所であることを特徴とする車両の制御仕様変更装置。
【発明の詳細な説明】
【技術分野】
【０００１】
本発明は、車両の制御仕様を変更する制御仕様変更装置に関する。
【背景技術】
【０００２】
従来、制御仕様に沿った制御を行うための制御情報を記憶する記憶部と、該記憶部に記憶された制御情報を用いて制御するように構成された制御部とを有する車両について、その制御仕様を変更する制御仕様変更装置が知られている（特許文献１）。
【０００３】
この制御仕様変更装置は、ユーザーの操作によって当該ユーザーの好みに応じた制御情報が設定されると共に、当該設定された制御情報を無線通信で送信可能な変更器と、該変更器から無線通信によって制御情報を受信すると共に、受信した制御情報を記憶部に記憶する制御情報取得部とを備えている。これにより、ユーザーが変更器を操作して制御情報を設定することで、該設定された制御情報を制御情報取得部が受信して記憶部に記憶し、制御部が、該記憶された制御情報を用いて当該車両を制御する。
【先行技術文献】
【特許文献】
【０００４】
【特許文献１】特開平６−３２８９８１号公報
【発明の概要】
【発明が解決しようとする課題】
【０００５】
しかしながら、特許文献１に記載された車両の制御仕様変更装置において、制御情報取得部の変更処理の不良が生じると、制御仕様の変更が不完全になるおそれがある。
【０００６】
本発明は、制御仕様の変更処理の信頼性を向上できる車両の制御仕様変更装置を提供することを目的とする。
【課題を解決するための手段】
【０００７】
本発明は、車両の制御仕様を規定する制御情報を記憶するように構成された記憶部と、該記憶部に記憶された前記制御情報を用いて車両を制御するように構成された制御部とを備える車両の制御仕様変更装置であって、前記制御情報を有する情報サーバとの間で無線通信を行う無線通信機と、前記制御情報を、前記情報サーバから前記無線通信機により受信して前記記憶部に記憶するように構成された制御情報取得部とを備え、前記無線通信機及び前記制御情報取得部は、前記車両内の車室内を除く箇所に配置されていることを特徴とする。
【０００８】
本発明によれば、車両内の車室内を除く箇所、例えば、車室内及び車両の周辺にいる作業者等が容易に接触できない箇所に、記憶部、無線通信機及び制御情報取得部が配置されている。これにより、制御情報の変更中に、無線通信機及び制御情報取得部が人等に接触される可能性が著しく低減される。従って、接触による制御情報取得部の変更処理の不良を生じ難くして、制御仕様の変更処理の信頼性を向上できる。
【０００９】
本発明において、前記制御情報取得部は、前記無線通信機が、前記制御情報を正常に受信したか否かを判定するように構成された受信判定部を備え、前記受信判定部によって、前記制御情報を正常に受信していないと判定されたときに、前記制御情報を前記情報サーバから再度受信することが好ましい。
【００１０】
これにより、制御情報取得部は、制御情報を正常に受信していないときには、制御情報を情報サーバから再度受信する。これにより、記憶部には、正常に受信された制御情報が記憶される。従って、制御仕様の変更処理の信頼性を向上できる。
【００１１】
本発明において、前記記憶部は、複数の前記制御情報を記憶可能に構成されて、前記制御情報の１つとして所定の標準制御情報を記憶し、前記制御部が、前記所定の標準制御情報以外の前記制御情報を用いて前記車両を制御しているときに、当該制御情報を用いた制御が適切か否かを判定するように構成された情報判定部を備え、前記制御情報取得部は、前記情報判定部が適切でないと判定したとき、前記制御部が用いる前記制御情報を、前記標準制御情報に変更することが好ましい。
【００１２】
これにより、制御情報取得部は、適切でない制御情報で車両が制御されていた場合には、標準制御情報を用いて車両が制御されるように変更する。従って、車両の制御が標準となり、適切でない制御情報で車両が制御されている場合に比べて車両の制御を適切にできる。
【００１３】
本発明において、前記車両内の車室内を除く箇所は、インストルメントパネルの裏側の箇所であってもよい。
【図面の簡単な説明】
【００１４】
【図１】本発明の実施形態の制御仕様変更装置を含む車両の機能ブロック図。
【図２】本実施形態の制御仕様変更装置が配置される箇所を示す図。
【図３】本実施形態の制御仕様変更装置の制御情報取得部が実行する通信制御の制御処理手順を示すフローチャート。
【図４】本実施形態の制御仕様変更装置の制御情報取得部が実行する切替制御の制御処理手順を示すフローチャート。
【発明を実施するための形態】
【００１５】
（１．車両の制御仕様変更装置の構成）
本発明の実施形態の車両の制御仕様変更装置１について図１を参照して説明する。
【００１６】
制御仕様変更装置１は、メモリ（本発明の記憶部に相当する）２と、制御部３と、表示装置４と、充電池５と、電動機６と、エンジン７とを備える車両Ｃに搭載されている。なお、本実施形態の車両Ｃは、電動機６及びエンジン７を駆動源とするハイブリッド車両である。
【００１７】
また、制御仕様変更装置１は、無線通信機１１と、制御情報取得部１２と、バッファ１３とを備える。また、制御情報取得部１２は、受信判定部１２１と、情報判定部１２２とを備える。
【００１８】
また、無線通信機１１が無線通信を行う情報サーバＳは、無線通信が可能な通信機器として構成された無線通信部Ｓ１と、ＲＯＭ及びＲＡＭ等からなる記憶装置であり、複数の制御情報（後述）が記憶された制御情報格納部Ｓ２とを備える。
【００１９】
（１−１．各構成要素）
メモリ２は、ＲＯＭ及びＲＡＭ等からなる記憶装置であり、車両Ｃに対して所定の制御仕様に沿った制御を行うための制御情報を記憶する。ここで、制御情報とは、所定の制御用プログラムと、参照値、マップ及びテーブル等の制御用データとの少なくともいずれかからなる情報であって、車両Ｃの制御に用いられる。また、メモリ２は、複数（ｎ個）の制御情報を記憶できるように、その記憶領域が、第１メモリ領域２１〜第ｎメモリ領域２ｎのｎ個の領域に分割されている。
【００２０】
制御部３は、ＣＰＵ，ＲＯＭ，ＲＡＭ，Ｉ／Ｏ回路等により構成された電子回路ユニットである。制御部３は、ＲＯＭに保持された車両Ｃの制御用プログラム、及びメモリ２の第１メモリ領域２１〜第ｎメモリ領域２ｎのいずれかに記憶された制御情報の一部である制御用プログラムをＣＰＵで実行することにより、車両Ｃの制御仕様に沿った制御を行う。
【００２１】
以下、第１メモリ領域２１〜第ｎメモリ領域２ｎのうち、現時点で制御部３が実行する制御用プログラムが記憶されたメモリ領域を、アクティブメモリ領域という。このとき、ＣＰＵで実行されるプログラムは、アクティブメモリ領域に記憶された制御情報の一部である制御用データを適宜参照する。
【００２２】
制御部３は、複数のメモリ領域２１〜２ｎのうちいずれのメモリ領域がアクティブメモリ領域であるかを識別するために、メモリ２の所定の領域に記憶された、アクティブメモリ領域となっているメモリ領域を表す識別子（以下、「アクティブ識別子」という）を参照する。アクティブ識別子は、後述するように、制御情報取得部１２によって制御情報を変更するときに適宜変更されている。
【００２３】
また、複数のメモリ領域２１〜２ｎのうち所定の１のメモリ領域には、車両Ｃの標準的な制御仕様を規定する制御情報である標準制御情報が記憶されている。本実施形態では、所定の１のメモリ領域は、第１メモリ領域２１となっている。また、後述する制御情報取得部１２は、第１メモリ領域２１に記憶された標準制御情報を、他の制御情報に変更することがないように構成されている。
【００２４】
以下、制御部３とメモリ２とをまとめて車両制御装置Ｅということがある。
【００２５】
表示装置４は、タッチ操作が可能なタッチパネルである。表示装置４は、制御部３から出力された制御信号に応じて所定の情報を表示する。また、表示装置４は、車両Ｃの乗員等によってタッチ操作されたときに、当該タッチ操作に応じた所定の信号を制御部３に対して出力する。
【００２６】
充電池５は、電動機６に駆動電力を出力すると共に、電動機６からの回生電力により充電される。
【００２７】
電動機６は、充電池５から出力された電力に応じた駆動力によって駆動輪（図示省略）を駆動する。また、電動機６は、車両Ｃが制動されるときに、車両Ｃの運動エネルギーを電気エネルギーに変換して回生電力を得る発電機として機能する。
【００２８】
エンジン７は、内燃機関として構成され、当該エンジン７が出力した駆動力によって、前記駆動輪（図示省略）を駆動する。
【００２９】
無線通信機１１は、情報サーバＳの無線通信部Ｓ１と無線通信を行う。
【００３０】
制御情報取得部１２は、無線通信機１１が無線通信部Ｓ１と無線通信することにより、制御情報格納部Ｓ２に記憶された複数の制御情報のうち所定の制御情報を取得して、ＲＡＭ等からなるバッファ１３に記憶する。
【００３１】
（１−２．配置）
次に、制御仕様変更装置１及び車両制御装置Ｅの配置について図２を参照して説明する。制御仕様変更装置１及び車両制御装置Ｅ（すなわち、図１において、破線で囲まれている装置）は、車両Ｃ内の車室ＣＳ内を除く箇所に配置されている。このとき、制御仕様変更装置１内の各構成要素間で信号を伝達するための信号線（図示省略）、車両制御装置Ｅ内の各構成要素間で信号を伝達するための信号線（図示省略）、及び制御仕様変更装置１と車両制御装置Ｅとの間で信号を伝達するための信号線（図示省略）についても、車両Ｃ内の車室ＣＳ内を除く箇所に配置されている。
【００３２】
ここで、車室ＣＳとは、車両Ｃの乗員用の座席が設けられている空間、又は車両Ｃの乗員の荷物等を格納するための空間である。このように、車両Ｃ内の車室ＣＳ内を除く箇所、例えば、車室ＣＳ内及び車両Ｃの周辺にいる作業者等が容易に接触できない箇所に、制御仕様変更装置１及び車両制御装置Ｅが配置される。これにより、制御仕様変更装置１及び車両制御装置Ｅに人等が接触する可能性が、著しく低減される。
【００３３】
なお、本実施形態では、図２に示されるように、制御仕様変更装置１及び車両制御装置Ｅは、インストルメントパネルＩＰの裏側の箇所に配置されている。
【００３４】
（２．制御仕様変更装置の制御）
次に、制御仕様変更装置１によって実行される制御処理について説明する。
【００３５】
（２−１．制御仕様変更装置の制御）
制御仕様変更装置１の制御情報取得部１２は、通信制御と、切替制御とを状況に応じて実行する。
【００３６】
（２−１−１．通信制御）
まず、通信制御について説明する。通信制御とは、情報サーバＳから無線通信によって所定の制御情報を取得する制御である。
【００３７】
制御情報取得部１２は、制御情報を取得する指令が出力された場合、又は制御情報を取得する処理が中断された場合において、通信制御を実行する。
【００３８】
ここで、制御情報を取得する指令は、例えば、車両制御装置Ｅの制御部３によって表示装置４に表示された選択画面を、車両Ｃの乗員等が所定のタッチ操作をすることで当該制御部３から出力される。ここで、所定のタッチ操作とは、例えば、情報サーバＳの制御情報格納部Ｓ２に格納されている複数の制御情報の各々を選択するためのボタンが表示装置４に表示されているときに、車両Ｃの乗員等が当該表示されているボタンのうちいずれかに対して行われるタッチ操作である。
【００３９】
また、制御情報取得部１２は、制御情報を取得する処理が中断されたか否かを、例えば、以下のようにして行う。制御情報取得部１２は、制御情報を取得する処理の開始時に、ハードディスクドライブ又はフラッシュストレージ等の不揮発性記憶装置に、制御情報を取得中であることを示すフラグを立て、制御情報の取得が完了した時に該フラグを降ろす。
【００４０】
制御情報取得部１２は、車両Ｃの作動が開始（アクセサリ電源オン）された時に、フラグが立っている状態であった場合には、制御情報の取得中に車両Ｃの作動が停止（アクセサリ電源オフ）される等によって、制御情報を取得する処理が中断されたと判断する。
【００４１】
そして、制御情報取得部１２は、上記のように、制御情報を取得する指令が出力された場合、又は制御情報を取得する処理が中断された場合において、図３に示されるような通信制御を実行する。
【００４２】
まず、制御情報取得部１２は、無線通信を確立し（ステップＳＴ１）、制御情報を全てバッファ１３に取得した後（ステップＳＴ２，３，４）、無線通信を終了する（ステップＳＴ５）。そして、制御情報取得部１２は、制御情報を正常に受信したか否かを判定し（ステップＳＴ６）、正常に受信した場合にはメモリ２の所定のメモリ領域に受信した制御情報を書き込み（ステップＳＴ７）、正常に受信していない場合には再度制御情報を取得する（ステップＳＴ１に戻る）。そして、所定のメモリ領域に制御情報が正常に書き込まれたか否かを判定し（ステップＳＴ８）、正常に書き込まれた場合に通信制御を終了し、正常に書き込まれていない場合には再度制御情報をメモリ領域に書き込む（ステップＳＴ７に戻る）。
【００４３】
以下、各ステップの詳細について説明する。
【００４４】
ステップＳＴ１では、制御情報取得部１２は、情報サーバＳの無線通信部Ｓ１と制御仕様変更装置１の無線通信機１１との間の無線通信を確立する。
【００４５】
制御情報取得部１２は、ステップＳＴ１の処理が終了するとステップＳＴ２に進み、制御情報を取得する。このとき、制御情報取得部１２は、制御情報を、所定のサイズ毎（例えば、128[bytes]）に分割されたデータとして受信して、ステップＳＴ３において、該所定のサイズのデータを受信する毎にバッファ１３に書き込む。そして、制御情報取得部１２は、ステップＳＴ４において、制御情報を全て取得したか否かを判定し、制御情報を全て取得するまで（ステップＳＴ４の判定結果がＹＥＳになるまで）、ステップＳＴ２とＳＴ３との処理を繰り返す。
【００４６】
そして、制御情報取得部１２は、ステップＳＴ４で制御情報を全て取得したと判定したらステップＳＴ５に進み、無線通信を終了する処理を実行する。これにより、情報サーバＳの無線通信部Ｓ１と制御仕様変更装置１の無線通信機１１との間の無線通信の確立が終了する。
【００４７】
制御情報取得部１２は、ステップＳＴ５の処理が終了すると、ステップＳＴ６に進み、制御情報を正常に受信したか否かを判定する。詳細には、制御情報取得部１２は、取得した制御情報が情報サーバＳに記憶されている制御情報と同じか否か、すなわち、通信経路を通過した際に通信データが変更されていないか否かを判定する。この判定には、例えば、誤り検出符号又は誤り訂正符号等の公知の様々な手法を用いればよい。ここで、ステップＳＴ６の処理が本実施形態の受信判定部１２１の処理に相当する。
【００４８】
制御情報取得部１２は、ステップＳＴ６で制御情報を正常に受信していないと判定したとき、ステップＳＴ１に戻る。
【００４９】
制御情報取得部１２は、ステップＳＴ６の判定によって制御情報を正常に受信していると判定したとき、ステップＳＴ７に進み、バッファ１３に書き込まれた制御情報を、メモリ２の所定のメモリ領域に書き込む。
【００５０】
このとき、所定のメモリ領域は、標準制御情報が記憶されている第１メモリ領域２１及びアクティブメモリ領域以外のメモリ領域であればよい。本実施形態では、制御情報取得部１２は、未だ書き込まれたことが無いメモリ領域がある場合に該メモリ領域に制御情報を書き込み、未だ書き込まれたことが無いメモリ領域が存在しない場合には、使用される頻度の低い（例えば、使用される回数が低い又は使用時間が短い）メモリ領域に制御情報を書き込む。
【００５１】
制御情報取得部１２は、ステップＳＴ７の処理が終了するとステップＳＴ８に進み、ステップＳＴ７でメモリ領域に書き込まれた制御情報が、正常に書き込まれた否か、すなわち、バッファ１３に記憶された制御情報と同じか否かを判定する。この判定には、ステップＳＴ６のときと同様に、例えば、誤り検出符号又は誤り訂正符号等の公知の様々な手法を用いればよい。
【００５２】
制御情報取得部１２は、ステップＳＴ８で正常に書き込まれていないと判定した場合、ステップＳＴ７に戻る。そして、制御情報取得部１２は、ステップＳＴ８で正常に書き込まれたと判定した場合、通信制御を終了する。
【００５３】
（２−１−２．切替制御）
次に、切替制御について説明する。切替制御とは、アクティブメモリ領域を切り替える制御である。制御情報取得部１２は、切替制御を行う指令が出力されたときに図４に示される切替制御を実行する。
【００５４】
ここで、切替制御を行う指令は、例えば、車両制御装置Ｅの制御部３によって表示装置４に表示された画像に応じて、車両Ｃの乗員等が所定のタッチ操作をすることで当該制御部３から出力される。ここで、所定のタッチ操作とは、例えば、切替制御を開始を表すタッチ操作可能なボタンが表示装置４に表示されているときに、車両Ｃの乗員等が当該ボタンに対して行われるタッチ操作である。このとき、該ボタンは、メモリ２の各メモリ領域のうち制御情報が記憶されたメモリ領域に記憶されている制御情報から、乗員等が好みの制御情報をタッチ操作で選択可能に表示される。
【００５５】
制御情報取得部１２は、制御情報を切り替えてよい状況において制御情報を切り替える（ステップＳＴ１０１，ＳＴ１０２）。そして、制御情報取得部１２は、切り替え後の制御情報が正常か否か及び切り替え後の制御情報による制御が正常か否かを判定し（ステップＳＴ１０３，ＳＴ１０４）、いずれも正常である場合には切替処理を終了する。また、制御情報取得部１２は、切り替え後の制御情報が正常ではない場合には標準制御情報に切り替えた後（ステップＳＴ１０５）、再度、切り替えようとしていた制御情報を取得する指令を出力し（ステップＳＴ１０６）、切り替え後の制御情報による制御が正常ではない場合には標準制御情報に切り替える（ステップＳＴ１０７）。
【００５６】
以下、各ステップの詳細について説明する。
【００５７】
まず、制御情報取得部１２は、ステップＳＴ１０１で、制御情報を切り替えてもよい状況か否かを判定する。これは、例えば、制御情報取得部１２は、車両Ｃが停車している場合（車両Ｃの走行速度が0[km/h]の場合）に制御情報を切り替えてもよいと判定し、車両Ｃが走行している場合（車両Ｃの走行速度が0[km/h]ではない場合）には制御情報を切り替えてはいけないと判定する。
【００５８】
制御情報取得部１２は、ステップＳＴ１０１で、制御情報を切り替えてはいけないと判定された場合、ステップＳＴ１０１の判定を再度行う。
【００５９】
制御情報取得部１２は、ステップＳＴ１０１で、制御情報を切り替えてもよいと判定された場合、ステップＳＴ１０２に進み、車両制御装置Ｅが車両Ｃを制御するときに用いる制御情報を切り替える。制御情報取得部１２は、制御情報の切り替えを、アクティブメモリ領域を切り替えることで行う。詳細には、制御情報取得部１２は、前述したアクティブ識別子を、図３に示された通信制御のステップＳＴ７で書き込んだメモリ領域を表すように変更する。
【００６０】
制御情報取得部１２は、ステップＳＴ１０２の処理が終了するとステップＳＴ１０３に進み、切り替え後の制御情報が正常か否かを判定する。この判定には、図３に示された通信制御のステップＳＴ６及びＳＴ８のときと同様に、例えば、誤り検出符号又は誤り訂正符号等の公知の様々な手法を用いればよい。
【００６１】
制御情報取得部１２は、ステップＳＴ１０３で、切り替え後の制御情報が正常であると判定された場合には、ステップＳＴ１０４に進む。制御情報取得部１２は、ステップＳＴ１０４では、切り替え後の制御情報による制御が正常か否かを判定する。
【００６２】
詳細には、制御情報取得部１２は、切り替わった制御情報による制御処理に関連する値（例えば、車両Ｃの状態の計測値）が、予め定められた所定の範囲から外れているような場合に、切り替え後の制御情報による制御が正常ではないと判定する。また、制御情報取得部１２は、前記制御情報による制御処理に関連する値が該所定の範囲から外れていない時間が所定の時間以上となったときに、切り替え後の制御情報による制御が正常と判定する。なお、所定の範囲及び所定の時間は、各制御情報において適宜設定される。
【００６３】
ここで、ステップＳＴ１０４の処理が、本実施形態の情報判定部１２２の処理に相当する。
【００６４】
制御情報取得部１２は、ステップＳＴ１０４で切り替え後の制御情報による制御が正常であると判定された場合には切替制御を終了する。
【００６５】
制御情報取得部１２は、ステップＳＴ１０３で切り替え後の制御情報が正常ではないと判定された場合には、ステップＳＴ１０５に進む。制御情報取得部１２は、ステップＳＴ１０５では、車両制御装置Ｅが車両Ｃを制御するときに用いる制御情報を標準制御情報に切り替える。詳細には、制御情報取得部１２は、アクティブ識別子を、標準制御情報が記憶された第１メモリ領域２１を表すように変更する。
【００６６】
制御情報取得部１２は、ステップＳＴ１０５の処理が終了すると、ステップＳＴ１０２で切り替えようとしていた制御情報を再度取得する指令を出力する。これにより、制御情報取得部１２は、ステップＳＴ１０２で切り替えた制御情報と同じ情報を情報サーバＳから取得するために通信制御を実行する。
【００６７】
そして、制御情報取得部１２は、ステップＳＴ１０６の処理が終了すると切替制御を終了する。
【００６８】
制御情報取得部１２は、ステップＳＴ１０４で切り替え後の制御情報による制御が正常ではないと判定された場合には、ステップＳＴ１０７に進む。制御情報取得部１２は、ステップＳＴ１０７では、ステップＳＴ１０５と同様にアクティブ識別子を標準制御情報が記憶された第１メモリ領域２１を表すように変更することにより、車両制御装置Ｅが車両Ｃを制御するときに用いる制御情報を標準制御情報に切り替える。制御情報取得部１２は、ステップＳＴ１０７の処理が終了すると切替制御を終了する。
【００６９】
（２−２．切り替わる制御情報の例）
次に、制御情報取得部１２によって切り替えられる制御情報の具体的な例について説明する。本実施形態では、車両制御装置Ｅが実行する充電池制御に関する変更できるように構成されている。
【００７０】
ここで、充電池制御とは、車両制御装置Ｅの制御部３は、メモリ２のアクティブメモリ領域から制御情報を読み出して、車両Ｃの充電池５の充電状態（ＳＯＣ：State Of Charge）が所定の状態（以下、「目標ＳＯＣ」という）となるように制御（以下、このような制御を「充電池制御」という）している。標準制御情報においては、目標ＳＯＣは、50[%]に設定されている。充電池５のＳＯＣが50[%]付近のときには、充電池５が過充電及び過放電の状態になる可能性が低い。このため、制御部３は、充電池５から電力を出力する制御と、充電池５を充電する制御とを、必要に応じてすぐに実行することができる。
【００７１】
充電池５から電力を出力する制御とは、例えば、充電池５から電動機６に電力を供給することで、当該電動機６から出力される駆動力を駆動輪（図示省略）に伝達して、車両Ｃを走行させる制御である（以下、このような制御を「アシスト制御」という）。アシスト制御が実行されることにより、充電池５のＳＯＣが減少する。
【００７２】
また、充電池５を充電する制御とは、例えば、車両Ｃの制動装置（図示省略）が作動されたとき、又は車両Ｃのアクセルペダル（図示省略）の操作が停止された状態で走行するときに、電動機６を発電機として機能させて車両Ｃを制動し、当該制動時に電動機６が発電した電力によって充電池５を充電する制御である（以下、このような制御を「回生制御」という）。回生制御が実行されることにより、充電池５のＳＯＣが上昇する。
【００７３】
そして、例えば、車両Ｃが所定の第１速度以下の低速で走行している場合のように、エンジン７の駆動力によって走行するよりも電動機６の駆動力によって走行する方がエネルギーの使用効率が高い場合には、車両制御装置Ｅは、エンジン７の作動を停止し、アシスト制御によって車両Ｃを走行させる。これにより、車両Ｃの燃費を向上できる。
【００７４】
また、アシスト制御をすることで充電池５のＳＯＣが目標ＳＯＣよりも減少した場合に、車両Ｃの制動装置が作動されたとき、又は車両Ｃのアクセルペダルの操作が停止された状態で走行するときに、車両制御装置Ｅは、積極的に回生制御を行う。これにより、充電池５のＳＯＣを可能な限り目標ＳＯＣになるように（近付くように）できる。
【００７５】
本実施形態においては、制御情報を変更することで充電池制御の制御仕様を変更することができる。詳細には、標準制御情報とは異なる制御情報として目標ＳＯＣを情報サーバＳの制御情報格納部Ｓ２に格納している。
【００７６】
一般に、下り坂では、アシスト制御によって走行するときに、電動機６から駆動力を大きく出力することなく走行できるので充電池５のＳＯＣの減少量が少ない。また、下り坂では、制動するときに、大きな制動力を発生させる必要があるので、回生ブレーキによる充電池５のＳＯＣの増加量が多くなる。
【００７７】
従って、下り坂を走行する機会が少ないような場合には、目標ＳＯＣを高く設定していた場合であっても、回生ブレーキによる充電池５のＳＯＣが増加し難いので充電池５の過充電が生じ難い。
【００７８】
そこで、本実施形態では、下り坂を走行する機会が少ない地域、例えば、坂道が少ない地域においては、充電池制御の目標ＳＯＣを標準制御情報よりも高く設定している。例えば、目標ＳＯＣを60[%]に設定している。
【００７９】
これにより、目標ＳＯＣを50[%]に設定している標準制御情報に比べて充電池５から多くの電力を供給できるので、車両制御装置Ｅは、積極的にアシスト制御を実行できる。これにより、下り坂を走行する機会が少ない地域においては、目標ＳＯＣを60[%]に設定された制御情報が用いられることで、標準制御情報が用いられる場合に比べて車両Ｃの燃費を向上できる。
【００８０】
このように地域毎に設定された目標ＳＯＣを制御情報として情報サーバＳに格納しておく。そして、車両Ｃの乗員等が表示装置４に各地域の名称が表示された一覧から、自身が走行する地域を選択することで当該地域に適した制御情報が所定のメモリ領域に記憶される。そして、車両Ｃの乗員等が表示装置４をタッチ操作することで該記憶された制御情報に切り替えることで、車両制御装置Ｅの充電池制御を、その地域に適した制御に変更することができる。
【００８１】
なお、例えば、車両Ｃの乗員等が自身が走行する地域とは異なる地域を誤って選択した場合、例えば、坂道が多い地域であるにも拘らず、坂道が少ない地域を選択した場合には、車両Ｃの燃費の向上を期待することは難しい。このように、乗員等の誤操作等により、適切な制御が行えないことを抑制するため、図４に示される切替制御のステップＳＴ１０４において、制御情報による制御が正常か否かを判定している。
【００８２】
ここで、前述（ステップＳＴ１０４の説明）した「制御情報による制御処理に関連する値」が「車両Ｃの燃費」と規定され、前述した「所定の範囲」が「所定の燃費以上」と規定された場合には、車両Ｃの燃費が所定の燃費以下の状態が所定の時間継続している場合に、制御情報による制御が正常ではないと判定すればよい。
【００８３】
他の例としては、例えば、「制御情報による制御処理に関連する値」が「充電池５のＳＯＣ」と規定され、「所定の範囲」が「目標ＳＯＣから所定値だけ離れている範囲」と規定された場合には、充電池５のＳＯＣが目標ＳＯＣから所定値だけ離れている範囲から外れている状態が所定の時間継続している場合に、制御情報による制御が正常ではないと判定してもよい。ここで、例えば、目標ＳＯＣが50[%]であり、所定値が10[%]であった場合には、充電池５のＳＯＣが「40[%]〜60[%]」の範囲を外れている状態が所定の時間継続している場合に、制御情報による制御が正常ではないと判定される。
【００８４】
以上のように、本実施形態では、制御仕様変更装置１及び車両制御装置Ｅが車両Ｃ内の車室ＣＳ内を除く箇所に配置されている。これにより、制御情報取得部１２が制御情報を変更中に、制御仕様変更装置１及び車両制御装置Ｅが人等に接触される可能性が著しく低減される。従って、接触による制御情報取得部１２の変更処理の不良を生じ難くして、制御仕様の変更処理の信頼性を向上できる。
【００８５】
また、本実施形態において、制御情報取得部１２は、無線通信機１１が、制御情報を正常に受信したか否かを判定するように構成された受信判定部１２１を備えている。更に、制御情報取得部１２は、受信判定部１２１によって制御情報を正常に受信していないと判定したときに（ステップＳＴ６の判定結果がＮＯのとき）、制御情報を情報サーバＳから再度受信する（ステップＳＴ６からステップＳＴ１に戻る）。これにより、バッファ１３ひいてはメモリ２には、正常に受信された制御情報が記憶される。従って、制御仕様の変更処理の信頼性を向上できる。
【００８６】
また、制御情報取得部１２は、バッファ１３からメモリ２に制御情報を正常に書き込みしていないと判定したときに（ステップＳＴ８の判定結果がＮＯのとき）、制御情報を再度書き込む（ステップＳＴ８からステップＳＴ７に戻る）。これにより、メモリ２には制御情報が正常に書き込まれる。従って、制御仕様の変更処理の信頼性を向上できる。
【００８７】
また、本実施形態において、車両制御装置Ｅが標準制御情報以外の制御情報を用いて制御しているときに、情報判定部１２２によって当該制御情報が適切でないと判定されたときには（ステップＳＴ１０４の判定結果がＮＯのときには）、制御情報取得部１２は、車両制御装置Ｅが制御するときに基づく制御情報を標準制御情報に変更する（ステップＳＴ１０７）。
【００８８】
これにより、適切でない制御情報で車両Ｃが制御されていた場合には、車両Ｃの制御が標準となり、適切でない制御情報で車両Ｃが制御されている場合に比べて車両Ｃの制御を適切にできる。
【００８９】
また、本実施形態において、情報サーバＳから制御情報を取得するとき無線通信を用いている。従って、情報サーバと制御仕様変更装置とを有線で接続して制御情報を取得する構成に比べて、信号線に接触される等による断線及び信号線の接続ミスの可能性がないので、制御情報取得部１２の変更処理の不良を生じ難くして、制御仕様の変更処理の信頼性を向上できる。
【００９０】
また、通信電波が弱い状況等において無線通信が切断されて、制御情報を取得する処理が中断された場合であっても、制御情報取得部１２は、図３に示される通信制御を実行する。従って、制御仕様の変更処理の信頼性を向上できる。
【００９１】
また、本実施形態において、制御情報取得部１２は、標準制御情報が記憶されている第１メモリ領域２１に対して、情報サーバＳから取得した制御情報を書き込むことがないように構成されている。これにより、制御情報を無線通信で取得する処理が正常に終了されなかった場合、制御情報をメモリ２に書き込む処理が正常に終了されなかった場合、又は不適切な制御仕様の変更がなされたときに、すみやかに標準制御情報に切り替えることができ、当該標準制御情報を用いて車両Ｃを制御することができる。
【００９２】
（３．変形例）
なお、本実施形態では、制御仕様を変更する制御情報として、充電池制御を用いて説明したが、これに限らず、他の制御情報を用いてもよい。また、地域毎に制御情報を用意するようにしたが、これに限らず、例えば、機能毎に制御情報を用意するようにしてもよい。例えば、エアコン制御用の制御情報として、エネルギー仕様効率のよいエアコン用制御情報、又は車室内を快適にするためのエアコン用制御情報等を用意してもよい。また、操舵制御用の制御情報として、ハンドル操作に対する応答性を変更できるようにしてもよい。上記の例に限らず、季節毎又は地形毎等様々な要素に応じて、車両を制御するための制御情報を用いてもよい。
【００９３】
また、本実施形態では、制御情報として目標ＳＯＣのような参照値が用いられていたが、これに限らず、マップ、テーブル又はプログラム等のうち任意の情報を制御情報として用いてもよい。
【００９４】
また、本実施形態では、制御仕様変更装置１を車両ＣのインストルメントパネルＩＰの裏側に配置しているが、これに限らず、通常、人に接触されることの無い箇所である車両Ｃ内の車室ＣＳを除く箇所に配置してもよい。すなわち、車室ＣＳを形成する壁部と車両Ｃの外形を画定する壁部との間の箇所であればよい。例えば、図２の１Ａに示されるように車室ＣＳの下に配置してもよいし、又は図２の１Ｂに示されるように車室ＣＳの後方に配置してもよい。
【符号の説明】
【００９５】
１…制御仕様変更装置、Ｃ…車両、ＣＳ…車室、Ｓ…情報サーバ、２…メモリ（記憶部）、３…制御部、１１…無線通信機、１２…制御情報取得部、１２１…受信判定部、１２２…情報判定部。
【図１】
2014051208.tif 000003
【図２】
2014051208.tif 000004
【図３】
2014051208.tif 000005
【図４】
2014051208.tif 000006